(57)【要約】【課題】  プラズマディスプレイパネルの製造方法において、隔壁のパターン形成の焼成過程における、隔壁要素の歪による変形が最小限に抑えられる隔壁構造、および隔壁の作成方法を提供する。【解決手段】  上記課題を解決するために、本発明は、隔壁列要素とが互いに交差して構成される、プラズマディスプレイパネルのサブピクセル隔壁構造の製造方法であって、基板に誘電体材料からなる層を形成するステップ、前記隔壁列要素と隔壁行要素について、焼成時の熱歪による前記隔壁構造の変形を最小限に抑えられるように、隔壁列要素または隔壁行要素の線幅を選択するステップ、選択した線幅の前記隔壁列要素と隔壁行要素を形成すべく、前記層をパターン形成するステップ、及び前記基板に熱処理を施すステップを含むものとした。【選択図】      図６
2005129526.tif 000002
【特許請求の範囲】
【請求項１】
隔壁列要素と隔壁行要素とが互いに交差して構成される、プラズマディスプレイパネルのサブピクセル隔壁構造の製造方法であって、
基板に誘電体材料からなる層を形成するステップ、
前記隔壁列要素と隔壁行要素について、焼成時の熱歪による前記隔壁構造の変形を最小限に抑えるように、隔壁列要素または隔壁行要素の線幅を選択するステップ、
選択した線幅の前記隔壁列要素と隔壁行要素を形成すべく、前記層をパターン形成するステップ、
および前記基板に熱処理を施すステップを含むサブピクセル隔壁構造の製造方法。
【請求項２】
前記隔壁列要素と、前記隔壁行要素では、線幅が異なる、請求項１に記載のサブピクセル隔壁構造の製造方法。
【請求項３】
前記隔壁構造の周縁部分に位置する前記隔壁列要素と、前記隔壁構造の周縁部分に位置しない前記隔壁列要素では、線幅が異なる、請求項１に記載のサブピクセル隔壁構造の製造方法。
【請求項４】
前記隔壁構造の周縁部分に位置する前記隔壁行要素と、前記隔壁構造の周縁部分に位置しない前記隔壁行要素では、線幅が異なるものである、請求項１に記載のサブピクセル隔壁構造の製造方法。
【請求項５】
前記隔壁列要素と隔壁行要素とが互いに交差して形成されるサブピクセル隔壁構造は、長方形または正方形である、請求項１に記載のサブピクセル隔壁構造の製造方法。
【請求項６】
前記隔壁列要素と隔壁行要素とが互いに交差して形成されるサブピクセル隔壁構造は六角形である、請求項１に記載のサブピクセル隔壁構造の製造方法。
【請求項７】
前記パターン形成のステップは、前記隔壁構造の端縁に、補助用隔壁要素をパターン形成するステップを含む、請求項１に記載のサブピクセル隔壁構造の製造方法。
【請求項８】
前記補助用隔壁要素は、前記隔壁構造の端縁に形成される開放型のサブピクセルスペースを閉鎖型のサブピクセルスペースとする、請求項７に記載のサブピクセル隔壁構造の製造方法。
【請求項９】
前記線幅を選択するステップは、各前記補助用隔壁要素について、焼成時の熱歪による前記隔壁構造の変形を最小限に抑えるように、隔壁列要素または隔壁行要素の線幅を選択するステップである、請求項７に記載のサブピクセル隔壁構造の製造方法。
【請求項１０】
前記補助用隔壁要素は、補助用隔壁行要素である、請求項７に記載のサブピクセル隔壁構造の製造方法。
【請求項１１】
前記補助用隔壁行要素は、相隣接する隔壁行要素の間に形成されるものである、請求項１０に記載のサブピクセル隔壁構造の製造方法。
【請求項１２】
前記補助用隔壁要素は、補助用隔壁列要素である、請求項７に記載のサブピクセル隔壁構造の製造方法。
【請求項１３】
前記補助用隔壁要素は、延伸型補助用隔壁要素である、請求項７に記載のサブピクセル隔壁構造の製造方法。
【請求項１４】
前記補助用隔壁要素は、延伸型補助用隔壁行要素である、請求項７に記載のサブピクセル隔壁構造の製造方法。
【請求項１５】
前記補助用隔壁要素は、延伸型補助用隔壁列要素である、請求項７に記載のサブピクセル隔壁構造の製造方法。
【請求項１６】
前記補助用隔壁要素は、隣接する補助用隔壁要素より長さが短いものである、請求項７に記載のサブピクセル隔壁構造の製造方法。
【請求項１７】
前記補助用隔壁要素は、複数の補助用隔壁行要素と複数の補助用隔壁列要素であり、補助用隔壁行要素の長さは、補助用隔壁列要素よりも短いものである、請求項７に記載のサブピクセル隔壁構造の製造方法。
【請求項１８】
前記補助用隔壁要素は、延伸型補助用隔壁列要素と延伸型補助用隔壁行要素とが、複数のサブピクセル隔壁構造を取り囲むように形成され、
複数の補助用隔壁列要素は、隔壁列要素から延伸型補助用隔壁列要素へと直交するよう形成され、
複数の補助用隔壁行要素は、隔壁行要素から延伸型補助用隔壁行要素へと直交するように形成されるものである、請求項１７に記載のサブピクセル隔壁構造の製造方法。
【請求項１９】
前記補助用隔壁要素は、複数の補助用隔壁行要素と複数の補助用隔壁列要素であり、補助用隔壁行要素の長さは、補助用隔壁列要素よりも長いものである、請求項７に記載のサブピクセル隔壁構造の製造方法。
【請求項２０】
前記補助用隔壁要素は、延伸型補助用隔壁列要素と延伸型補助用隔壁行要素とが、複数のサブピクセル隔壁構造を取り囲むように形成され、
複数の補助用隔壁列要素は、隔壁列要素から延伸型補助用隔壁列要素へと直交するよう形成され、
複数の補助用隔壁行要素は、隔壁行要素から延伸型補助用隔壁行要素へと直交するように形成されるものである、請求項１９に記載のサブピクセル隔壁構造の製造方法。
【請求項２１】
少なくとも１つの前記補助用隔壁要素は、いずれかの相隣接する前記隔壁行要素の間に配置される、請求項７に記載のサブピクセル隔壁構造の製造方法。
【請求項２２】
いずれかの相隣接する前記隔壁行要素の間に配置された少なくとも１つの前記補助用隔壁行要素の長さが、前記隔壁行要素よりも長い、請求項２１記載のサブピクセル隔壁構造の製造方法。
【請求項２３】
前記補助用隔壁要素は、その少なくとも１つの隅角を除き、前記隔壁構造の少なくとも一端縁沿いに配置された開放しているサブピクセルスペースを閉鎖する、請求項７に記載のサブピクセル隔壁構造の製造方法。
【請求項２４】
補助用隔壁要素は、前記隔壁構造の周縁部の補助用隔壁列要素及び／または補助用隔壁行要素を直線状にするものである、請求項７に記載のサブピクセル隔壁構造の製造方法。
【請求項２５】
少なくとも２つの前記補助用隔壁要素が、延伸型補助用隔壁要素である、請求項７に記載のサブピクセル隔壁構造の製造方法。
【請求項２６】
前記延伸型補助用隔壁要素は、他の少なくとも２つの前記補助用隔壁要素を介して前記隔壁構造に接続される、請求項２５に記載のサブピクセル隔壁構造の製造方法。
【請求項２７】
少なくとも１つの前記補助用隔壁要素が、曲線状である、請求項７に記載のサブピクセル隔壁構造の製造方法。
【請求項２８】
少なくとも１つの補助用隔壁要素は、前記隔壁構造から前記曲線状の補助用隔壁要素の半径方向へと延伸しているものである、請求項２７に記載のサブピクセル隔壁構造の製造方法。
【請求項２９】
少なくとも１つの前記補助用隔壁要素は、矢じり形要素（ａｌｌｏｗ‐ｈｅａｄ  ｍｅｍｂｅｒ）である、請求項７に記載のサブピクセル隔壁構造の製造方法。
【請求項３０】
前記パターン形成のステップは、サブピクセル隔壁構造の行方向または列方向の周縁を幅狭のジグザグ状にパターン形成するステップを含む、請求項１に記載のサブピクセル隔壁構造の製造方法。
【請求項３１】
前記補助用隔壁要素は、前記隔壁列要素とは線幅が異なるものである、請求項７に記載のサブピクセル隔壁構造の製造方法。
【請求項３２】
前記補助用隔壁要素は、前記隔壁行要素とは線幅が異なるものである、請求項７に記載のサブピクセル隔壁構造の製造方法。
【請求項３３】
複数の前記補助用隔壁要素は、それぞれの線幅が異なるものである、請求項７に記載のサブピクセル隔壁構造の製造方法。
【請求項３４】
プラズマディスプレイパネルのサブピクセル隔壁構造であって、
所定の線幅をそれぞれ有する複数の隔壁列要素と、
所定の線幅をそれぞれ有し、前記隔壁列要素と交差する複数の隔壁行要素とを備え、
前記隔壁列要素および隔壁行要素の線幅が、焼成による前記隔壁構造の収縮・変形を最小限に抑えるような線幅に選択されたことを特徴とする隔壁構造。
【請求項３５】
プラズマディスプレイパネルであって、
所定の線幅をそれぞれ有する複数の隔壁列要素と、
所定の線幅をそれぞれ有し、前記隔壁列要素と交差する複数の隔壁行要素とを備えてなるサブピクセルバリア構造を含み、
前記隔壁列要素および隔壁行要素の線幅が、焼成による前記隔壁構造の収縮・変形を最小限に抑えるような線幅に選択されたことを特徴とするプラズマディスプレイパネル。
【請求項３６】
プラズマディスプレイパネルのサブピクセル隔壁構造であって、
複数の隔壁列要素と、
前記隔壁列要素と交差する複数の隔壁行要素と、
焼成による前記隔壁構造の収縮・変形を最小限とするように、前記隔壁構造の少なくとも一端縁に隣接して設けられた補助用隔壁要素と、を備えてなることを特徴とする隔壁構造。
【請求項３７】
プラズマディスプレイパネルであって、
複数の隔壁列要素と、
前記隔壁列要素と交差する複数の隔壁行要素と、
焼成による前記隔壁構造の収縮・変形を最小限とするように、前記隔壁構造の少なくとも一端縁に隣接して設けられた補助用隔壁要素と、を備えてなる隔壁構造を含むことを特徴とする、プラズマディスプレイパネル。
【発明の詳細な説明】
【技術分野】
【０００１】
本発明は、プラズマディスプレイパネルの隔壁構造に関し、隔壁の製造過程において、焼成過程による歪による変形が最小限に抑えられた隔壁を備える、交流型プラズマディスプレイパネルに関するものである。
【背景技術】
【０００２】
プラズマディスプレイパネル（ＰＤＰ）は、その薄型軽量かつ大画面という特長から、カラー画像表示用ディスプレイ装置として、コンピュータまたはテレビジョンなどに広く使用されるようになってきている。このプラズマディスプレイは、直流型（ＤＣ）と交流型（ＡＣ）の２タイプに分けることができる。
【０００３】
従来の交流型プラズマディスプレイパネルは、図１（ａ）および図３（ｃ）に示した通りである。前面ガラス基板５０、背面ガラス基板１０、および表示領域Ａにおける背面ガラス基板１０の内表面に形成される隔壁構造２０を備えている。上記隔壁構造には、図１（ｂ）に示すような四角形の閉鎖型隔壁を有するもの（特許文献１参照）、図２のように、六角形の閉鎖型隔壁を有するもの（特許文献２参照）が知られている。四角形および六角形の閉鎖型隔壁の従来技術における構造は以下の通りである。四角形の閉鎖型隔壁構造２０は、隔壁列要素３２と隔壁行要素３４を有するＴ形隔壁要素３０の集合体により形成され、（図１Ｂ参照）六角形の閉鎖型隔壁構造隔壁構造２０´では、隔壁列要素３２´と隔壁行要素３４´とを有するＹ形隔壁要素３０の集合体により六角形の閉鎖型隔壁を形成される。（図２参照）。上記四角形または六角形の閉鎖型隔壁には、サブピクセルが配列される。一般的に、上記四角形または六角形閉鎖型隔壁においては、隔壁列要素の線幅（ＷｒおよびＷｒ´）と隔壁行要素の線幅（ＷｃおよびＷｃ´）は同じ幅である。
【特許文献１】米国特許第６３７３１９５号明細書
【特許文献２】米国特許第５３１７３３４号明細書
【０００４】
上記隔壁構造の作成方法としては、まず、ガラス粉末と酸化物材料の複合物からなるガラスペーストを、塗布またはスクリーン印刷により、背面基板表面上に塗膜し、膜にパターンを形成して隔膜作成、その後隔膜を焼成するというのが一般的である。
【０００５】
しかしながら、前記隔壁構造の製造方法において、焼成時に隔壁が熱収縮によって変形するという問題が存在した。これを図３（ａ）、図３（ｂ）および図３（ｃ）を用いて説明する。図３（ａ）は焼成前のＴ型隔壁要素３０を、図３（ｂ）および図３（ｃ）は焼成後のＴ型隔壁要素３０を示している。図３（ｂ）は変形後の隔壁の平面図である。Ｔ型隔壁要素３０の隔壁列要素３２および隔壁行要素３４は、焼成後、矢印Ｓの方向に歪む。その結果、隔壁要素３０は図３（ｂ）に示す様に、隔壁列要素３２の上部中心が凹んだ状態に変形する。
一方、焼成後の断面形状は、図３（ｃ）に示す通りである。隔壁列要素３２の上部中心は、前面基板５０側へ突出するように変形する。隔壁の下面側は背面基板１０に、位置が固定されているため変形しないが、上面は基板に固定されていないので、このような変形が生じるのである。焼成による隔壁変形で、断面がｈだけ突出する。このような状態で、前面基板を張り合わせると、ｈの空間が余計に生じる。この空間は、ノイズを特に表示領域の端縁部に発生させることになる。また、リブの歪により、空間ｈはさらに大きくなり、相隣接するサブピクセルスペースＣ１，Ｃ２，Ｃ３間で誤放電が生じてしまう。その結果、表示領域Ａにはクロストークが発生する。このような問題は、線幅が小さい隔壁では更に顕著となる。
【０００６】
また、図５（ａ）〜（ｃ）によれば、隔壁構造２０、２０´は、２２、２２´に示すようにその端縁がジグザグ状にパターン形成されている。このようなパターンが形成されている場合、隔壁は焼成後、図５（ｂ）および図５（ｃ）に示す様に、矢印Ｓの方向に変形し、断面には歪による凹凸が生じる。さらに、パターン形成時において、例えば図４に示すように、隔壁の一部分が欠けている等の欠陥を有する隔壁が一定量生じる。このような欠陥のある隔壁をそのまま焼成すると、前述するような隔壁の変形が生じるという問題がある。
【発明の開示】
【発明が解決しようとする課題】
【０００７】
本発明は、上記問題点を鑑みてなされたものであり、隔壁のパターン形成の焼成過程における、隔壁要素の歪による変形が最小限に抑えられる隔壁構造、および隔壁の作成方法を提供するものである。
【課題を解決するための手段】
【０００８】
上記課題を解決するために、本発明は、隔壁列要素とが互いに交差して構成される、プラズマディスプレイパネルのサブピクセル隔壁構造の製造方法であって、基板に誘電体材料からなる層を形成するステップ、前記隔壁列要素と隔壁行要素について、焼成時の熱歪による前記隔壁構造の変形を最小限に抑えられるように、隔壁列要素または行要素の線幅を選択するステップ、選択した線幅の前記隔壁列要素と隔壁行要素を形成すべく、前記層をパターン形成するステップ、及び前記基板に熱処理を施すステップを含むものとした。
【０００９】
線幅を選択するステップにおいて、隔壁列要素と隔壁行要素の線幅を異なるようにパターン形成することが好ましい。隔壁列要素と隔壁行要素では、異なる線幅とすることで、隔壁列要素と隔壁行要素とを同じ線幅した場合と比べ、焼成後の熱歪による隔壁構造の変形を最小限に抑えることが可能である。さらに、周縁部分の隔壁列要素と周縁部分以外の隔壁列要素、周縁部分の隔壁行要素と周縁部分以外の隔壁行要素とは異なる線幅でパターン形成しても、上記と同様の効果が得られる。
【００１０】
さらに、前記隔壁列要素と隔壁行要素が互いに交差して形成されるサブピクセル隔壁構造は、長方形または正方形あるいは、六角形であることが好ましい。
【００１１】
また、本発明に係る構造の製造方法において、隔壁構造の端縁に補助用隔壁要素を設けるようにパターン形成することもできる。ここで補助用隔壁要素とは、隔壁構造の焼成時における変形を限りなく少なくするため、新たに設置される補強用の隔壁要素をいい、列方向に形成されるものを補助用隔壁列要素、行方向に形成されるものを補助用隔壁行要素という。
【００１２】
行方向または列方向の周縁部に形成される、開放型の隔壁構造の開口部分に補助用隔壁要素を追加して閉鎖型とするように形成しても良い。また、図９（ａ）に示すように、閉鎖型隔壁において、相隣接する隔壁行要素の間に補助用隔壁要素を形成しても良い。
【００１３】
また、補助用隔壁要素は、四角形または六角形で形成される複数のサブピクセル隔壁構造の全体を覆うように形成しても良い。このように形成された補助用隔壁要素を延伸型補助用隔壁要素といい、列方向のものを延伸型補助用隔壁列要素、行方向のものを延伸型補助用隔壁行要素という。
【００１４】
さらに、複数のサブピクセル隔壁構造を取り囲むように、延伸型補助用隔壁要素を形成し、最も外側に形成されるそれぞれのバリアブル要素から延伸させかつ、延伸型補助用隔壁要素と垂直に交差するように補助用隔壁要素を形成すると良い。例えば、六角形のサブピクセル隔壁要素の場合、図９（ｄ）に示したような形状となる。このように、補助用隔壁要素を形成すると、隔壁の位置が固定され、焼成時においても熱歪による隔壁の変形を回避することができる。この場合、補助用隔壁行要素の長さは、補助用隔壁列要素よりも短いものとすることができる。
【００１５】
さらに、隔壁構造の四隅のうち１つを開放型のサブピクセル隔壁構造とすることができる。これは、例えば、図１１（ｂ）に示されているような隔壁構造とすることを意味する。このような構造とすることで、背面基板に排気用の開口を形成し、前面基板と背面基板との間のスペースから空気を排出することができるという利点がある。
【００１６】
延伸型補助用隔壁行要素を隔壁構造の外側に配置し、隔壁構造の周縁部と延伸型補助用隔壁行要素を連結するように、補助用隔壁列要素を設けても良い。これは、例えば図１２（ａ）に示されるような隔壁構造とすることを意味する。
延伸型補助用隔壁行要素を複数平行に並べても良く、複数の延伸型補助用隔壁行要素と補助用隔壁列要素とで形成されるスペースに、補助用隔壁列要素を複数形成しても良い。さらに、補助用隔壁要素は曲線状や、矢じり型でも良い。
【００１７】
さらに、サブピクセル隔壁構造の縦または横の端縁に形成されるジグザグの幅を小さくするようにパターン形成するのが好ましい。このようにパターン形成すれば、焼成時における、サブピクセル隔壁構造の変形を極力抑えることができる。
【００１８】
本発明におけるプラズマディスプレイの隔壁構造は、所定の線幅をそれぞれ有する複数の隔壁列要素と、所定の線幅をそれぞれ有し、前記隔壁列要素と交差する複数の隔壁行要素とを備え、前記隔壁列要素および隔壁行要素の線幅が、焼成による前記隔壁構造の収縮・変形を最小限に抑えるような線幅に選択されたものとし、本発明におけるプラズマディスプレイパネルは、前記隔壁構造を有するものとした。
【００１９】
また、本発明における隔壁構造において、複数の隔壁列要素と、前記隔壁列要素と交差する複数の隔壁行要素と、焼成による隔壁構造の収縮・変形を最小限とするように、隔壁列要素と隔壁行要素とで構成される隔壁構造の端縁に隣接するように、補助用隔壁要素とを設けた隔壁構造とを有するものとし、本発明におけるプラズマディスプレイパネルは、前記隔壁構造を有するものとした。
【発明の効果】
【００２０】
発明の第１の実施形態によれば、隔壁構造の隔壁列要素および隔壁行要素の線幅を、焼成による歪による変形が最小限に抑えられるような線幅とすることにより、歪が低減され、隔壁の断面の凹凸がなくなる。これによって、隔壁の表面とプラズマディスプレイパネルの前面基板との間の空間がより小さくなり、隣接するサブピクセル間で生じる誤放電を低減でき、さらには、前面基板と隔壁表面間の空間該ギャップにより引き起こされる表示領域のクロストークの問題を解消できる。
【００２１】
また、本発明の第２の実施形態によれば、隔壁構造の端縁に、補助用隔壁要素を添加することにより、隔壁列要素および隔壁行要素の位置が固定されるため、焼成に起因して生じる、隔壁要素の歪による変形を最小限に抑えることができる。
【００２２】
さらに、本発明の第３の実施形態によれば、隔壁構造の端縁部がジグザグ状に形成される隔壁列要素および隔壁行要素のジグザグ幅をより小さくすることで、焼成による隔壁要素の歪による変形が最小限に抑えられる。
【発明を実施するための最良の形態】
【００２３】
以下、図面と対応させながら本発明の好ましい実施形態を挙げ、より詳細に本発明を説明していく。
【００２４】
図６に示すのは、本発明に係る交流型プラズマディスプレイパネル２００の好適な例である。交流型プラズマディスプレイパネル２００は、背面ガラス基板２１０の表面上に、隔壁列要素２３２および隔壁行要素２３４からなるＴ形（図６に示す）またはＹ形に配置された隔壁要素２３０が形成されている。隔壁列要素２３２は、それぞれ等間隔かつ平行に配置され、隔壁行要素２３４はそれぞれ平行に、かつ隔壁列要素２３２と直角に配置されている。隔壁列要素と隔壁行要素により、複数の正方形、長方形（図６に示す）または六角形のサブピクセルスペース２４０が形成される。サブピクセルスペース２４０および隔壁行要素２３４の下方にはアドレス電極（図示せず）が形成されており、赤、緑および青の蛍光層２６０ａ、２６０ｂおよび２６０ｃが、隣接し合う各サブピクセルスペース２４０に、デルタ配列で設けられている。赤、緑および青の蛍光層２６０ａ、２６０ｂおよび２６０ｃが形成されたサブピクセルスペース２４０からなるデルタ配列は、１つのカラーピクセル２７０を構造する。交流型プラズマディスプレイパネル２００はさらに、前面ガラス基板２５０が、背面ガラス基板に対向するように形成されている。前面ガラス基板２５０には隔壁列要素２３２に対向するように設けられる補助電極２８０と、サブピクセルスペース２４０上方に配置される維持電極２９０とを含んでいる。
【００２５】
本発明の第１の形態では、隔壁構造２２０において、隔壁２３０の隔壁列要素と隔壁行要素とは異なる線幅で配列するものとした。図７（ａ）に示すのは、本発明による隔壁要素３３０の好ましい例である。この図によれば、隔壁列要素３３２の線幅Ｗｒが、隔壁行要素３３４の線幅Ｗｃよりも大きくなっている。図７（ｂ）に示すのは、本発明による隔壁要素４３０のもう１つの好ましい例であり、隔壁列要素の線幅Ｗｒが隔壁行要素の線幅よりも小さくなっている。
【００２６】
隔壁列要素と隔壁行要素との線幅を、異なる線幅とすることで、焼成時の熱歪により起こる隔壁の変形は低減され、この変形により生じていた、隔壁断面が凸凹になるという問題が解消される。その結果、隔壁の表面と前面基板との間に生じる空間はより小さくなり、この空間が原因で生じる、隣接するサブピクセル間の誤放電が低減または解消され、誤放電により生じる表示領域のクロストーク現象が軽減される。さらに断面の凹凸により生じるノイズは、低減もしくは解消される。
【００２７】
ところで、隔壁列要素と隔壁行要素をそれぞれ異なる線幅でパターン形成すると、隔壁構造の内側領域で起こる収縮または変形を、より効果的に低減することができる。しかし、端縁沿いに配置された隔壁列要素は、その内側領域に配置された隔壁列要素および隔壁行要素とは異なり、隔壁行要素が存在する部分と存在しない部分が交互に存在するジグザグ状となっている。つまり、隔壁行要素が存在しない部分の隔壁は、開放部分（例えば図５（ｂ）Ｘ部）を形成し、この部分における隔壁は、焼成時において熱歪により、隔壁が変形するといった問題が生じる。
【００２８】
したがって、本発明の第２の形態では、隔壁構造における上記開放部分の端縁に、補助用隔壁要素を付加する構造とする。この補助用隔壁要素によって、焼成後にその周縁に生じる歪による変形は、低減または解消されることとなる。以下に、補助用隔壁要素の例を幾つか挙げて説明する。
【００２９】
図８（ａ）に示すのは、長方形サブピクセルスペースの隔壁構造の例である。この例では、隔壁構造における、端縁の開放部分を閉鎖すべく、補助用隔壁行要素５００を添加することで、隔壁構造の端縁部分は、直線状となり、端縁における、隔壁列要素および隔壁行要素の位置が固定されることとなる。
【００３０】
隔壁構造の端縁における隔壁列要素および隔壁行要素（補助用隔壁行要素も含む）は、図１０（ａ）に示されるように、それぞれ異なる線幅ＷｒおよびＷｃを有していてもよい。また、別な態様として、図１０（ｂ）に示されるように、隔壁構造の端縁における隔壁列要素および隔壁行要素（補助用隔壁行要素も含む）は、隔壁構造内側領域を構成する隔壁列要素の線幅Ｗｒｉおよび／または隔壁行要素の線幅Ｗｃｉとはそれぞれ異なる線幅ＷｒｅおよびＷｃｅ（図１０（ａ）に示すものよりも大きい）とすることもできる。
【００３１】
図８（ｂ）に示すのは、六角形サブピクセルスペースの隔壁構造の例である。この例では、１）隔壁構造側端縁沿いの開放している部分を、閉鎖型隔壁となるように補助用隔壁行要素５００´を添加して、該端縁を直線状すること、および／または、２）ジグザグ状の、隔壁列要素の最も外側の列に沿って補助用隔壁列要素５１０を添加し、該端縁を直線状端縁とすることによって、隔壁列要素と隔壁行要素の位置が固定される。
【００３２】
図９（ａ）から（ｄ）に示すのは、隔壁構造における、開放部分の端縁部に、補助用隔壁列要素および補助用隔壁行要素を添加することにより、焼成後にその周縁の歪による変形を低減し、または解消するための補助用隔壁要素の別な実施例である。
【００３３】
図９（ａ）の例は、最も外側に位置する閉鎖型隔壁内に、補助用隔壁行要素６００を行要素と平行に設置したものである。これは、図８（ａ）のタイプのものに、行要素間に補助用隔壁行要素６００が設けられたものである。この補助用隔壁行要素６００の線幅Ｗｃｓは、行要素の線幅Ｗｃとは異なるものとすることができる。
【００３４】
図９（ｂ）の例では、図８（ｂ）に示す構造と同様の構造を有し、補助用隔壁行要素７００の長さが、図８（ｂ）のものと比較して長いものとした。
【００３５】
図９（ｃ）の例は、図９（ｂ）の例において、補助用隔壁行要素８１０と補助用隔壁列要素８００と、隔壁列要素８２０とで形成される五角形の閉鎖型隔壁内（図９（ｂ）Ｂ部分）に、さらに補助用隔壁行要素８０１を敷設したものである。また、この隔壁構造は、図８（ｂ）のものと類似しているが、長短の補助用隔壁行要素８００、８０１が、最も外側の隔壁列要素から補助用隔壁列要素８１０へ、補助用隔壁列要素８１０と直交するように敷設されることで、隔壁構造の端縁部分の隔壁列要素の位置が固定される点で異なっている。なお、補助用隔壁行要素８００および８０１は、それぞれ異なる線幅Ｗｃ１およびＷｃ２とすることができる。
【００３６】
図９（ｄ）の例では、最も外側に形成される六角形閉鎖型隔壁の外側に複数の隔壁要素を覆うように延伸型補助用隔壁列要素９１０および延伸型補助用隔壁行要素９１２を設けた。さらに、行方向においては最も外側に形成される六角形閉鎖型隔壁から、延伸型補助用隔壁列要素９１０と直交するように補助用隔壁行要素９００を敷設し、列方向においては、延伸型補助用隔壁行要素９１２と直交するように補助用隔壁列要素９１１を敷設した。このように補助用隔壁行要素を敷設することにより、隔壁列要素と隔壁行要素は位置が固定され、焼成時の熱歪における隔壁の変形をおさえることができる。
【００３７】
図１１（ａ）および１１（ｂ）の例は、図８（ａ）および図９（ｂ）の隔壁構造において、四隅のうち１つ以上を開放型の隔壁構造することで、背面基板２１０に排気用の開口を形成し、前面基板２５０と背面基板２１０との間に形成されるスペースから、空気を排出できるようにしたものである。
【００３８】
図１２（ａ）から１２（ｆ）に示す例は、図８（ａ）の隔壁構造に、補強用隔壁要素を有したものである。この補強用隔壁要素は、１つ以上の延伸型補助用隔壁列要素１１００に直交するように、補助用隔壁行要素１１１０を設置したもの（図１２（ａ）から１２（ｃ））、補助用大半径曲線状要素（ｓｕｐｐｌｅｍｅｎｔａｒｙ  ｌａｒｇｅ  ｒａｄｉｕｓ  ｃｕｒｖｅｄ  ｍｅｍｂｅｒｓ）１２００および補助用隔壁列要素１２１０（図１２（ｄ））、補助用小半径曲線状要素（ｓｕｐｐｌｅｍｅｎｔａｒｙ  ｓｍａｌｌ  ｒａｄｉｕｓ  ｃｕｒｖｅｄ  ｍｅｍｂｅｒｓ）１３００（図１２（ｅ））、または補助用矢じり形要素（ｓｕｐｐｌｅｍｅｎｔａｒｙ  ａｌｌｏｗ‐ｈｅａｄ  ｍｅｍｂｅｒｓ）１４００（図１２（ｆ））、等から形成される。
【００３９】
本発明の第３の実施形態では図１３（ａ）に示すように、隔壁構造の周縁部のジグザグ幅（図５参照）を小さくすることで、焼成時の熱歪による隔壁の変形を低減することができる。図１３（ａ）によれば最も外側に形成される列要素および行要素のジグザグ幅ａ´は、図５に示されるジグザグ幅ａと比較して小さな値となっている。
【００４０】
図１３（ｂ）の例は、図１３（ｂ）中のａ´に示されるように、図１２（ｅ）の補助用隔壁要素と比較して、ジグザグ幅が小さくなっている。また、図１３（ｃ）の例は、図１３（ｆ）の補助用隔壁要素と比較して、ジグザグ幅が小さくなっている。
【００４１】
本発明に係る隔壁構造は、誘電体材料、例えば、ＳｉＯ２などのガラス粉末の化合物、Ａｌ２Ｏ３、Ｂ２Ｏ３、ＰｂＯもしくはＺｎＯなどの酸化物材料、またはこれらの組み合わせを含むことができる。また、隔壁構造は、次のステップからなる方法によって作製することができる。つまり、塗布またはスクリーン印刷により、背面基板２１０上に、ガラス粉末と酸化物との複合物からなる層をコーティングするステップ、コーティング層をパターン形成して、隔壁を形成するステップ、およびパターン形成した、コーティング層を焼成する工程を含む。焼成は、空気雰囲気下、約５００℃の温度で約３０分間行われる。なお、焼成プロセスは、異なる誘電体材料に応じた調整が可能である。
【図面の簡単な説明】
【００４２】
【図１（ａ）】従来の交流型プラズマディスプレイパネル背面基板を示す平面図、およびその隔壁構造の内側領域を示す拡大図。
【図１（ｂ）】図１（ａ）における隔壁構造内側領域をさらに拡大した平面図。
【図２】従来の別な隔壁構造の内側領域を示す拡大平面図である。
【図３（ａ）】図１（ｂ）の従来の隔壁構造における焼成前の隔壁を示す平面図。
【図３（ｂ）】焼成後の隔壁を示す平面図。
【図３（ｃ）】従来の隔壁構造における隔壁が、焼成後に変形し突出した状態を示す断面図。
【図４】パターン形成後にオープン欠陥ないし断線が生じた、焼成後に変形し得る欠陥隔壁を示す平面図。
【図５（ａ）】従来の交流型プラズマディスプレイパネル背面基板を示す平面図、およびその隔壁構造の周縁部分を示す拡大図。
【図５（ｂ）】図５（ａ）における隔壁構造周縁部分をさらに拡大した平面図。
【図５（ｃ）】図２の隔壁構造周縁部分を示す平面図。
【図６】本発明に係る交流型プラズマディスプレイパネルの好適な例を示す斜視図。
【図７（ａ）】本発明第１の形態による隔壁構造の例、つまり、列隔壁の線幅Ｗｒが行隔壁の線幅Ｗｃよりも大きい隔壁の例を示す平面図。
【図７（ｂ）】本発明第１の形態による隔壁構造の別な例、つまり、行隔壁の線幅Ｗｃが列隔壁の線幅Ｗｒよりも大きい隔壁の例を示す平面図。
【図８（ａ）】本発明第２の態様による、長方形サブピクセルスペースを形成する隔壁構造の例を示す平面図
【図８（ｂ）】本発明第２の態様による、六角形サブピクセルスペースを形成する隔壁構造の例を示す平面図。
【図９（ａ）】本発明第２の形態による、補助用隔壁行要素が最も外側の行隔壁間に設けられる例を示す平面図。
【図９（ｂ）】本発明第２の形態による、補助用延伸型補助用隔壁列要素を介して連結された補助用隔壁行要素が、最も外側の列隔壁に沿って設けられる例を示す平面図。
【図９（ｃ）】本発明第２の形態による、補助用延伸型補助用隔壁要素を介して連結された長短の補助用隔壁行要素が、最も外側の列隔壁に沿って交互に配置される例を示す平面図。
【図９（ｄ）】本発明第２の形態による、補助用延伸型補助用隔壁列要素を介して連結された極めて短い補助用隔壁行要素が、最も外側の列隔壁に沿って設けられ、補助用延伸型補助用隔壁行要素を介して連結された比較的長い補助用隔壁列要素が行隔壁に設けられた例を示す平面図。
【図１０（ａ）】それぞれ異なる線幅ＷｒおよびＷｃを持つ、隔壁構造端縁プロファイルを構造する列隔壁および行要素を示す平面図。
【図１０（ｂ）】隔壁構造内側領域を構造する列要素の線幅Ｗｒｉおよび／または行要素の線幅Ｗｃｉとはそれぞれ異なる線幅ＷｒｅおよびＷｃｅを持つ、隔壁構造端縁プロファイルを構造する列隔壁および行要素を示す平面図。
【図１１（ａ）】本発明第２の実施形態による、隔壁構造の１つ以上の隅角を閉鎖しない例を示す平面図。
【図１１（ｂ）】本発明第２の実施形態による、隔壁構造の１つ以上の隅角を閉鎖しない例を示す平面図。
【図１２（ａ）】本発明第２の実施形態による、補助用隔壁列要素を介し補助用延伸型補助用隔壁行要素が連結されてなる制限用格子要素を示す平面図。
【図１２（ｂ）】本発明第２の実施形態による、補助用隔壁列要素を介し補助用延伸型補助用隔壁行要素が連結されてなる制限用格子要素を示す平面図。
【図１２（ｃ）】本発明第２の実施形態による、補助用隔壁列要素を介し補助用延伸型補助用隔壁行要素が連結されてなる制限用格子要素を示す平面図。
【図１２（ｄ）】本発明第２の実施形態による、補助用大半径曲線状要素および補助用隔壁列要素からなる制限用格子要素の例をそれぞれ示す例を示す平面図。
【図１２（ｅ）】本発明第２の実施形態による、補助用小半径曲線要素からなる制限用格子要素の例を示す平面図。
【図１２（ｆ）】本発明第２の実施形態による、補助用矢じり形要素からなる制限用格子要素の例を示す平面図。
【図１３（ａ）】本発明第３の態様による、隔壁構造のジグザグ状端縁プロファイルのジグザグ幅を縮小した例を示した平面図。
【図１３（ｂ）】本発明第３の形態による、補助用曲線状要素のジグザグ幅を縮小した例を示した平面図。
【図１３（ｃ）】本発明第３の形態による、補助用矢じり形要素のジグザグ幅を縮小した例をそれぞれ示す平面図。
【符号の説明】
【００４３】
２００          プラズマディスプレイパネル
２１０          背面ガラス基板
２２０          隔壁構造
２３０          Ｔ形隔壁
２３２          隔壁列要素
２３４          隔壁行要素
２４０          サブピクセルスペース
２５０          前面ガラス基板
２６０ａ        赤色蛍光層
２６０ｂ        緑色蛍光層
２６０ｃ        青色蛍光層
２７０          カラーピクセル
２８０          補助電極
２９０          維持電極
３３０          隔壁要素
３３２          隔壁列要素
３３４          隔壁行要素
４３０          隔壁要素
４３２          隔壁列要素
４３４          隔壁要素
５００          補助用隔壁要素
５１０          延伸型補助用隔壁列要素
６００          補助用隔壁要素
７００          補助用隔壁行要素
７１０          延伸型補助用隔壁列要素
８００，８０１  補助用隔壁行要素
８１０          延伸型補助用隔壁列要素
９００          補助用隔壁行要素
９１０          延伸型補助用隔壁列要素
９１２          延伸型補助用隔壁行要素
１１００        延伸型補助用隔壁行要素
１１１０        補助用隔壁列要素
１２００        補助用大半径曲線状要素
１２１０        補助用隔壁列要素
１３００        補助用小半径曲線状要素
１４００        補助用矢じり形要素
１３００´      格子構造の曲線状要素
１４００´      格子構造の矢じり形要素
【図１（ａ）】
2005129526.tif 000003
【図１（ｂ）】
2005129526.tif 000004
【図２】
2005129526.tif 000005
【図３（ａ）】
2005129526.tif 000006
【図３（ｂ）】
2005129526.tif 000007
【図３（ｃ）】
2005129526.tif 000008
【図４】
2005129526.tif 000009
【図５（ａ）】
2005129526.tif 000010
【図５（ｂ）】
2005129526.tif 000011
【図５（ｃ）】
2005129526.tif 000012
【図６】
2005129526.tif 000013
【図７（ａ）】
2005129526.tif 000014
【図７（ｂ）】
2005129526.tif 000015
【図８（ａ）】
2005129526.tif 000016
【図８（ｂ）】
2005129526.tif 000017
【図９（ａ）】
2005129526.tif 000018
【図９（ｂ）】
2005129526.tif 000019
【図９（ｃ）】
2005129526.tif 000020
【図９（ｄ）】
2005129526.tif 000021
【図１０（ａ）】
2005129526.tif 000022
【図１０（ｂ）】
2005129526.tif 000023
【図１１（ａ）】
2005129526.tif 000024
【図１１（ｂ）】
2005129526.tif 000025
【図１２（ａ）】
2005129526.tif 000026
【図１２（ｂ）】
2005129526.tif 000027
【図１２（ｃ）】
2005129526.tif 000028
【図１２（ｄ）】
2005129526.tif 000029
【図１２（ｅ）】
2005129526.tif 000030
【図１２（ｆ）】
2005129526.tif 000031
【図１３（ａ）】
2005129526.tif 000032
【図１３（ｂ）】
2005129526.tif 000033
【図１３（ｃ）】
2005129526.tif 000034